(57)【特許請求の範囲】
【請求項１】
ボデイー及び前記ボデイーの頂壁に固定的に設置された突起台を含み、前記突起台の前後側には回転盤が対称的に設置され、前記回転盤が対向するように回転でき、前記回転盤の中にはケーブルを固定できる穴が左右貫通のように設置され、前記突起台の左側にはスライド台がスライド可能に設置され、前記スライド台の中には固定ブロックが左右貫通のように設置され、前記固定ブロックの中には滑走輪がスライド可能に設置され、ロック装置で前記滑走輪と前記スライド台とをロックでき、前記ロック装置は前記滑走輪と前記スライド台とをロックするとき、前記ボデイーの左側端壁の中に設置された押出装置は前記滑走輪と前記スライド台とを同期に移動させられ、前記ロック装置によるロックを解除するとき、前記押出装置は前記滑走輪しか押せないため、前記滑走輪が単独に移動し、
前記スライド台の中には、前記スライド台の前後側に位置しかつケーブルの被覆を剥ぐことができる被覆剥ぎ機構が設置され、前記被覆剥ぎ機構は前記スライド台が右方へ移動する時に、前記被覆剥ぎ機構の中に設置された切断刃を駆動して対向移動させ、さらにケーブルの被覆の内部に刺さらせ、そして前記スライド台が左方へ移動する時にケーブルの被覆を剥ぎ取り、
ケーブルの被覆を剥ぎ終えた後、前後二つの前記回転盤が対向するように回転することで被覆が剥がれたケーブルは駆動されて対向するように回転して前記突起台の左側端壁の中に形成された凹溝の中に至り、この時に前記押出装置は単独に前記滑走輪を駆動して移動させることにより、ケーブルの被覆が剥がれた部分が積み重なり、同時に前記滑走輪の右側端壁の中に設置された加熱器が接続部に加熱を行い、前記凹溝の右側端壁の中に設置されたはんだ搬送装置は二本のケーブルの接続部にはんだを搬送し、はんだが高温で溶化したあとにケーブルをはんだ付けにし、
前記ボデイーの中には歯車空間が設置され、前記歯車空間の頂壁の中には第一回転軸が前後対称になるように、かつ回転可能に設置され、前記第一回転軸が前記回転盤と固定的に連結され、前記歯車空間の中にある前記第一回転軸の末端には第一歯車が固定的に設置され、前記歯車空間の左側端壁の中には右方に開口する第一ガイドスライド溝が形成され、前記第一ガイドスライド溝の中には前後二つの前記第一歯車と噛み合った第一ラックがスライド可能に設置され、前記第一ラックの右側端壁の中には右方に開口する第一ねじ穴が設置され、前記第一ねじ穴の中には第一スクリューがねじ山で連結され、前記第一スクリューは前記歯車空間の右側端壁の中に固定的に設置された第一モータと伝動可能に連結され、前記第一ガイドスライド溝の頂壁の中には連通穴が設置され、前記第一ラックの頂壁の中には磁石が固定的に設置され、
前記ロック装置は前記固定ブロックの底壁の中に形成されかつ上下貫通の第二ガイドスライド溝を含み、前記第二ガイドスライド溝の中には磁性ブロックがスライド可能に設置され、前記磁性ブロックの末端が前記滑走輪の底壁の中に形成された引っ掛かり溝の中に延在し、前記磁性ブロックと前記磁石とが反発し合い、前記磁性ブロックと前記第二ガイドスライド溝の端壁との間には第一復帰装置が設置され、前記第一復帰装置は前記磁性ブロックが移動した後に前記磁性ブロックを復帰させられ、
前記押出装置は前記ボデイーの左側端壁の中に設置されたベルト空間を含み、前記ベルト空間の中にはねじスリーブが回転可能に設置され、前記ねじスリーブの中には左右貫通の第二ねじ穴が設置され、前記第二ねじ穴の中には前記滑走輪と固定的に連結された第二スクリューがねじ山で連結され、前記第二スクリューの円周壁の中には下方に開口する位置制限溝が形成され、前記位置制限溝の中には位置制限ブロックがスライド可能に設置され、前記位置制限ブロックは前記ボデイーの左側端壁と固定的に連結され、前記ねじスリーブの外面には第一プーリが固定的に設置され、
前記被覆剥ぎ機構は、前記スライド台に前後対称になるように設置されかつ左右貫通の通過穴を含み、前記通過穴の前後側には回転空間が対称になるように設置され、前記回転空間と前記通過穴とは第三ガイドスライド溝によって連通され、前記切断刃は前記第三ガイドスライド溝の中にスライド可能に設置され、前記切断刃と前記回転空間の端壁との間には第一ばねが設置され、前記回転空間の中には第二回転軸が回転可能に設置され、前記第二回転軸の外面には第二歯車及び前記第二歯車の上方に位置している第一カムが固定的に設置され、前記回転空間の中には前記第二歯車と噛み合った第二ラックがスライド可能に設置され、前記ボデイーの頂壁には前記突起台の左側に位置している妨害ブロックが固定的に設置され、
前記はんだ搬送装置は前記突起台の右側端壁の中に形成された置き溝を含み、前記置き溝の中にははんだが置かれ、前記置き溝と前記凹溝との間にはケーブル送り空間が設置され、前記ケーブル送り空間の中には前後対称になる二つのケーブル送り輪が対向回転可能に設置され、前記置き溝と前記凹溝との間には前記ケーブル送り空間を貫通した貫通溝が形成され、前記ケーブル送り空間の底壁の中にはウォームホイール空間が設置され、前記ウォームホイール空間と前記ケーブル送り空間との間には前後対称になる第三回転軸が回転可能に設置され、前記第三回転軸が前記ケーブル送り輪と固定的に連結され、前記ウォームホイール空間にある前記第三回転軸の末端にはウォームホイールが固定的に設置され、前記ウォームホイール空間の右側端壁の中には下方に伸びる伝動空間が設置され、前記伝動空間と前記ウォームホイール空間との間にはウォームが回転可能に設置され、前記ウォームは前後二つの前記ウォームホイールとも噛み合い、前記伝動空間の中にある前記ウォームの末端には第三歯車が固定的に設置され、前記第三歯車が回転する時に前記ウォームを回転させ、そして前後二つの前記ウォームホイールが駆動されて対向するように回転し、前後二つの前記ケーブル送り輪が駆動されて対向するように回転することで、前後二つの前記ケーブル送り輪の間にあるはんだは前記凹溝の中に搬送され、
前記伝動空間と前記ベルト空間との間にはカム空間が設置され、前記伝動空間と前記ベルト空間との間には前記カム空間を貫通した第四回転軸が回転可能に設置され、前記ベルト空間の中にある前記第四回転軸の末端には第二プーリが固定的に設置され、前記第二プーリと前記第一プーリとはベルトにより伝動可能に連結され、前記伝動空間の中にある前記第四回転軸の末端には第四歯車が固定的に設置され、前記カム空間の中にある前記第四回転軸の外面には第二カムが固定的に設置され、前記伝動空間の左側端壁の中にはスライド空間が設置され、前記スライド空間の中にはスライダがスライド可能に設置され、前記スライダの右側端壁の中には第二モータが固定的に設置され、前記第二モータの出力軸末端には前記第四歯車と噛み合った第五歯車が固定的に設置され、前記スライダと前記スライド空間の底壁との間には第二ばねが設置され、前記第一モータの出力軸末端には前記スライダを押出する第三カムが固定的に設置され、前記スライド空間の左側端壁の中には第一スライド穴が設置され、前記第一スライド穴の中には第一スライドロッドがスライド可能に設置され、前記第一スライドロッドは右側末端が前記スライダの左側端壁の中に形成されたロック溝の中に延在し、前記第一スライドロッドと前記第一スライド穴の左側端壁との間には第三ばねが設置され、前記第一スライドロッドの中には上下貫通の傾斜穴が設置され、前記カム空間の頂壁の中には前記第一スライド穴を貫通した第二スライド穴が設置され、前記第二スライド穴の中には第二スライドロッドがスライド可能に設置され、前記第二スライドロッドと前記第二スライド穴の端壁との間には第二復帰装置が設置され、前記第二復帰装置は前記第二スライドロッドが移動した後に前記第二スライドロッドを復帰させられ、
作業時、手で接続待ちの二本のケーブルの末端を前記穴の中に挿すことでケーブルの末端が前記スライド台の右側と面一になり、この時に前記第二モータを作動させることで前記第五歯車が回転し、さらに前記第四歯車を回転させ、そして前記第四回転軸が連動して回転し、さらに前記第二プーリを回転させ、そして前記第一プーリが連動して回転し、さらに前記ねじスリーブを回転させ、さらに前記第二スクリューが右方へ移動して前記滑走輪を押し、この時に前記磁性ブロックが前記引っ掛かり溝の中に挿入されたため、前記スライド台が前記滑走輪とともに右方へ移動し、この時にケーブルの末端が前記通過穴の中に挿入され、前記スライド台が右方へ移動すると前記第二ラックを右方へ移動させて前記妨害ブロックと当接させ、そして前記妨害ブロックの前記第二歯車に対する反作用で前記第二ラックを左方へ移動させ、さらに前記第二歯車を回転させ、そして前記第一カムが連動して半周回転し、前記切断刃を押してケーブルの被覆に挿入し、この時に前記第二モータを作動させることで前記第五歯車が逆方向へ回転し、前記スライド台を左方へ移動させ、この時に作業員がケーブルを持っており、前記スライド台が左方へ移動すると前記切断刃を左方へ移動させることで被覆をケーブルの表面から剥ぎ取り、前記スライド台が左方へ移動すると前記第二ラックを左方へ移動させて前記ボデイーの壁体と当接させるとき、前記第二ラックが右方へ移動し、前記第一カムを逆方向へ回転させ、この時に前記切断刃が前記第一ばねによって復帰し、
前記第一モータを作動させることで前記第一スクリューが連動して半周回転し、前記第一ラックを右方へ移動させ、前記磁石が前記第一ラックに駆動されて右方へ移動し、この時に前記磁性ブロックが前記磁石による反発力を受けなくなり、前記磁性ブロックが前記第一復帰装置の作用によって下方へ移動して前記連通穴の中に挿入され、この時に前記スライド台と前記滑走輪とを固定しなくなり、前記スライド台と前記ボデイーの頂壁とが固定され、前記第一ラックが右方へ移動する中で前後二つの前記第一歯車を対向回転させ、さらに前後二つの前記回転盤を対向回転させ、そして前記穴にあるケーブルが連動して回転し、ケーブルにおいて被覆が剥がれた部分が前記凹溝の中まで回転し、
前記第一モータが前記第一スクリューを回転させるとき、前記第三カムが半周回転し、この時に前記スライダが前記第三カムから離脱し、前記スライダが前記第一スライドロッドにロックされたため、前記スライダが上方へ移動しなく、この時に再び前記第二モータを作動させることで前記第五歯車が回転し、前記第四歯車を回転させ、そして前記第四回転軸が連動して回転し、第二プーリを回転させ、そして前記第一プーリが連動して回転し、前記ねじスリーブを回転させ、そして前記第二スクリューが連動して右方へ移動して前記滑走輪を押し、前記滑走輪が右方へ前記凹溝の中まで移動することで前記凹溝にある二本のケーブルを圧着させ、前記第四回転軸が回転すると前記第二カムを半周回転させ、上方へ前記第二スライドロッドを押すことで前記第二スライドロッドが上昇し、前記第一スライドロッドを左方へ移動させ、前記第一スライドロッドが移動して前記ロック溝から出た後、前記スライダが前記第二ばねの作用によって上昇し、この時、前記第五歯車と前記第三歯車とが噛み合い、この時に前記第二モータを作動させることで前記第五歯車が回転し、前記第三歯車を回転させ、前記ウォームが前記第三歯車の回転とともに回転し、そして前後二つの前記ウォームホイールが対向回転し、前後二つの前記ケーブル送り輪を対向回転させ、前後二つの前記ケーブル送り輪にあるはんだを前記凹溝の中に搬送し、前記加熱器は被覆が剥がれたケーブルの接続部に加熱を行うため、はんだが高温で溶化したあと、ケーブルの接続部をはんだ付けにし、はんだが冷却した後、接続し終えたケーブルを取り出し、ここでケーブルの接続を完了とすることを特徴とするデジタル情報伝達用ケーブルの接続装置。
【発明の詳細な説明】
【技術分野】
【０００１】
本願発明はデジタル情報伝達分野に関し、具体的にはデジタル情報伝達用ケーブルの接続装置である。
【背景技術】
【０００２】
デジタル情報の伝達過程において、ケーブルは大きな役割を果たしている。ケーブルを接続する中では接続品質がケーブルの伝達効果に直接影響する。従来の接続方法はねじり接続と圧着接続という二種類があるが、この二つの方法を利用すると接続部での電気抵抗が増加し、情報中断問題を引き起こしやすい。上記の問題を解決するために、デジタル情報伝達用ケーブルの接続装置を設計する必要がある。
【先行技術文献】
【特許文献】
【０００３】
【特許文献１】中国特許出願公開第１０３９５５０３８号明細書
【発明の概要】
【発明が解決しようとする課題】
【０００４】
本願はデジタル情報伝達用ケーブルの接続装置を設計し、上記の欠点を解消し、設備の実用性を向上させることを目的とする。
【課題を解決するための手段】
【０００５】
本願発明は以下の技術プランにより実現される。
【０００６】
本願発明のデジタル情報伝達用ケーブルの接続装置は、ボデイー及び前記ボデイーの頂壁に固定的に設置された突起台を含み、前記突起台の前後側には回転盤が対称的に設置され、前記回転盤が対向するように回転でき、前記回転盤の中にはケーブルを固定できる穴が左右貫通のように設置され、前記突起台の左側にはスライド台がスライド可能に設置され、前記スライド台の中には固定ブロックが左右貫通のように設置され、前記固定ブロックの中には滑走輪がスライド可能に設置され、ロック装置で前記滑走輪と前記スライド台とをロックでき、前記ロック装置は前記滑走輪と前記スライド台とをロックするとき、前記ボデイーの左側端壁の中に設置された押出装置は前記滑走輪と前記スライド台とを同期に移動させられ、前記ロック装置によるロックを解除するとき、前記押出装置は前記滑走輪しか押せないため、前記滑走輪が単独に移動し、
前記スライド台の中には、前記スライド台の前後側に位置しかつケーブルの被覆を剥ぐことができる被覆剥ぎ機構が設置され、前記被覆剥ぎ機構は前記スライド台が右方へ移動する時に、前記被覆剥ぎ機構の中に設置された切断刃を駆動して対向移動させ、さらにケーブルの被覆の内部に刺さらせ、そして前記スライド台が左方へ移動する時にケーブルの被覆を剥ぎ取り、
ケーブルの被覆を剥ぎ終えた後、前後二つの前記回転盤が対向するように回転することで被覆が剥がれたケーブルは駆動されて対向するように回転して前記突起台の左側端壁の中に形成された凹溝の中に至り、この時に前記押出装置は単独に前記滑走輪を駆動して移動させることにより、ケーブルの被覆が剥がれた部分が積み重なり、同時に前記滑走輪の右側端壁の中に設置された加熱器が接続部に加熱を行い、前記凹溝の右側端壁の中に設置されたはんだ搬送装置は二本のケーブルの接続部にはんだを搬送し、はんだが高温で溶化したあとにケーブルをはんだ付けにする。
【０００７】
さらに、前記ボデイーの中には歯車空間が設置され、前記歯車空間の頂壁の中には第一回転軸が前後対称になるように、かつ回転可能に設置され、前記第一回転軸が前記回転盤と固定的に連結され、前記歯車空間の中にある前記第一回転軸の末端には第一歯車が固定的に設置され、前記歯車空間の左側端壁の中には右方に開口する第一ガイドスライド溝が形成され、前記第一ガイドスライド溝の中には前後二つの前記第一歯車と噛み合った第一ラックがスライド可能に設置され、前記第一ラックの右側端壁の中には右方に開口する第一ねじ穴が設置され、前記第一ねじ穴の中には第一スクリューがねじ山で連結され、前記第一スクリューは前記歯車空間の右側端壁の中に固定的に設置された第一モータと伝動可能に連結され、前記第一ガイドスライド溝の頂壁の中には連通穴が設置され、前記第一ラックの頂壁の中には磁石が固定的に設置されている。
【０００８】
さらに、前記ロック装置は前記固定ブロックの底壁の中に形成されかつ上下貫通の第二ガイドスライド溝を含み、前記第二ガイドスライド溝の中には磁性ブロックがスライド可能に設置され、前記磁性ブロックの末端が前記滑走輪の底壁の中に形成された引っ掛かり溝の中に延在し、前記磁性ブロックと前記磁石とが反発し合い、前記磁性ブロックと前記第二ガイドスライド溝の端壁との間には第一復帰装置が設置され、前記第一復帰装置は前記磁性ブロックが移動した後に前記磁性ブロックを復帰させられる。
【０００９】
さらに、前記押出装置は前記ボデイーの左側端壁の中に設置されたベルト空間を含み、前記ベルト空間の中にはねじスリーブが回転可能に設置され、前記ねじスリーブの中には左右貫通の第二ねじ穴が設置され、前記第二ねじ穴の中には前記滑走輪と固定的に連結された第二スクリューがねじ山で連結され、前記第二スクリューの円周壁の中には下方に開口する位置制限溝が形成され、前記位置制限溝の中には位置制限ブロックがスライド可能に設置され、前記位置制限ブロックは前記ボデイーの左側端壁と固定的に連結され、前記ねじスリーブの外面には第一プーリが固定的に設置されている。
【００１０】
さらに、前記被覆剥ぎ機構は、前記スライド台に前後対称になるように設置されかつ左右貫通の通過穴を含み、前記通過穴の前後側には回転空間が対称になるように設置され、前記回転空間と前記通過穴とは第三ガイドスライド溝によって連通され、前記切断刃は前記第三ガイドスライド溝の中にスライド可能に設置され、前記切断刃と前記回転空間の端壁との間には第一ばねが設置され、前記回転空間の中には第二回転軸が回転可能に設置され、前記第二回転軸の外面には第二歯車及び前記第二歯車の上方に位置している第一カムが固定的に設置され、前記回転空間の中には前記第二歯車と噛み合った第二ラックがスライド可能に設置され、前記ボデイーの頂壁には前記突起台の左側に位置している妨害ブロックが固定的に設置されている。
【００１１】
さらに、前記はんだ搬送装置は前記突起台の右側端壁の中に形成された置き溝を含み、前記置き溝の中にははんだが置かれ、前記置き溝と前記凹溝との間にはケーブル送り空間が設置され、前記ケーブル送り空間の中には前後対称になる二つのケーブル送り輪が対向回転可能に設置され、前記置き溝と前記凹溝との間には前記ケーブル送り空間を貫通した貫通溝が形成され、前記ケーブル送り空間の底壁の中にはウォームホイール空間が設置され、前記ウォームホイール空間と前記ケーブル送り空間との間には前後対称になる第三回転軸が回転可能に設置され、前記第三回転軸が前記ケーブル送り輪と固定的に連結され、前記ウォームホイール空間にある前記第三回転軸の末端にはウォームホイールが固定的に設置され、前記ウォームホイール空間の右側端壁の中には下方に伸びる伝動空間が設置され、前記伝動空間と前記ウォームホイール空間との間にはウォームが回転可能に設置され、前記ウォームは前後二つの前記ウォームホイールとも噛み合い、前記伝動空間の中にある前記ウォームの末端には第三歯車が固定的に設置され、前記第三歯車が回転する時に前記ウォームを回転させ、そして前後二つの前記ウォームホイールが駆動されて対向するように回転し、前後二つの前記ケーブル送り輪が駆動されて対向するように回転することで、前後二つの前記ケーブル送り輪の間にあるはんだは前記凹溝の中に搬送される。
【００１２】
さらに、前記伝動空間と前記ベルト空間との間にはカム空間が設置され、前記伝動空間と前記ベルト空間との間には前記カム空間を貫通した第四回転軸が回転可能に設置され、前記ベルト空間の中にある前記第四回転軸の末端には第二プーリが固定的に設置され、前記第二プーリと前記第一プーリとはベルトにより伝動可能に連結され、前記伝動空間の中にある前記第四回転軸の末端には第四歯車が固定的に設置され、前記カム空間の中にある前記第四回転軸の外面には第二カムが固定的に設置され、前記伝動空間の左側端壁の中にはスライド空間が設置され、前記スライド空間の中にはスライダがスライド可能に設置され、前記スライダの右側端壁の中には第二モータが固定的に設置され、前記第二モータの出力軸末端には前記第四歯車と噛み合った第五歯車が固定的に設置され、前記スライダと前記スライド空間の底壁との間には第二ばねが設置され、前記第一モータの出力軸末端には前記スライダを押出する第三カムが固定的に設置され、前記スライド空間の左側端壁の中には第一スライド穴が設置され、前記第一スライド穴の中には第一スライドロッドがスライド可能に設置され、前記第一スライドロッドは右側末端が前記スライダの左側端壁の中に形成されたロック溝の中に延在し、前記第一スライドロッドと前記第一スライド穴の左側端壁との間には第三ばねが設置され、前記第一スライドロッドの中には上下貫通の傾斜穴が設置され、前記カム空間の頂壁の中には前記第一スライド穴を貫通した第二スライド穴が設置され、前記第二スライド穴の中には第二スライドロッドがスライド可能に設置され、前記第二スライドロッドと前記第二スライド穴の端壁との間には第二復帰装置が設置され、前記第二復帰装置は前記第二スライドロッドが移動した後に前記第二スライドロッドを復帰させられる。
【発明の効果】
【００１３】
本願発明の有益な効果は：本願はデジタル情報伝達用ケーブルの接続装置を提供し、デジタル情報伝達用ケーブルをより便利に接続でき、また、本願発明は自動的にケーブルの被覆を剥ぎ取ることができ、また、剥ぎ取られた部分にはんだ付けを行うことで接続品質をより良くする。
【図面の簡単な説明】
【００１４】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成概略図
【図２】図２は図１におけるＡ―Ａの構成概略図
【図３】図３は図１におけるＢの拡大構成概略図
【図４】図４は図２におけるＣの拡大構成概略図
【図５】図５は図４におけるＤ―Ｄの構成概略図
【発明を実施するための形態】
【００１６】
図１〜５を参照し、本願発明のデジタル情報伝達用ケーブルの接続装置は、ボデイー１０及び前記ボデイー１０の頂壁に固定的に設置された突起台１９を含み、前記突起台１９の前後側には回転盤５２が対称的に設置され、前記回転盤５２が対向するように回転でき、前記回転盤５２の中にはケーブルを固定できる穴５１が左右貫通のように設置され、前記突起台１９の左側にはスライド台２９がスライド可能に設置され、前記スライド台２９の中には固定ブロック２８が左右貫通のように設置され、前記固定ブロック２８の中には滑走輪４６がスライド可能に設置され、ロック装置９９で前記滑走輪４６と前記スライド台２９とをロックでき、前記ロック装置９９は前記滑走輪４６と前記スライド台２９とをロックするとき、前記ボデイー１０の左側端壁の中に設置された押出装置９８は前記滑走輪４６と前記スライド台２９とを同期に移動させられ、前記ロック装置９９によるロックを解除するとき、前記押出装置９８は前記滑走輪４６しか押せないため、前記滑走輪４６が単独に移動し、前記スライド台２９の中には、前記スライド台２９の前後側に位置しかつケーブルの被覆を剥ぐことができる被覆剥ぎ機構９７が設置され、前記被覆剥ぎ機構９７は前記スライド台２９が右方へ移動する時に、前記被覆剥ぎ機構９７の中に設置された切断刃７３を駆動して対向移動させ、さらにケーブルの被覆の内部に刺さらせ、そして前記スライド台２９が左方へ移動する時にケーブルの被覆を剥ぎ取り、
ケーブルの被覆を剥ぎ終えた後、前後二つの前記回転盤５２が対向するように回転することで被覆が剥がれたケーブルは駆動されて対向するように回転して前記突起台１９の左側端壁の中に形成された凹溝２０の中に至り、この時に前記押出装置９８は単独に前記滑走輪４６を駆動して移動させることにより、ケーブルの被覆が剥がれた部分が積み重なり、同時に前記滑走輪４６の右側端壁の中に設置された加熱器４７が接続部に加熱を行い、前記凹溝２０の右側端壁の中に設置されたはんだ搬送装置９６は二本のケーブルの接続部にはんだを搬送し、はんだが高温で溶化したあとにケーブルをはんだ付けにする。
【００１７】
有益的には、前記ボデイー１０の中には歯車空間２３が設置され、前記歯車空間２３の頂壁の中には第一回転軸２１が前後対称になるように、かつ回転可能に設置され、前記第一回転軸２１が前記回転盤５２と固定的に連結され、前記歯車空間２３の中にある前記第一回転軸２１の末端には第一歯車２２が固定的に設置され、前記歯車空間２３の左側端壁の中には右方に開口する第一ガイドスライド溝４３が形成され、前記第一ガイドスライド溝４３の中には前後二つの前記第一歯車２２と噛み合った第一ラック４２がスライド可能に設置され、前記第一ラック４２の右側端壁の中には右方に開口する第一ねじ穴４４が設置され、前記第一ねじ穴４４の中には第一スクリュー４５がねじ山で連結され、前記第一スクリュー４５は前記歯車空間２３の右側端壁の中に固定的に設置された第一モータ７０と伝動可能に連結され、前記第一ガイドスライド溝４３の頂壁の中には連通穴４１が設置され、前記第一ラック４２の頂壁の中には磁石４０が固定的に設置されている。
【００１８】
有益的には、前記ロック装置９９は前記固定ブロック２８の底壁の中に形成されかつ上下貫通の第二ガイドスライド溝２４を含み、前記第二ガイドスライド溝２４の中には磁性ブロック２６がスライド可能に設置され、前記磁性ブロック２６の末端が前記滑走輪４６の底壁の中に形成された引っ掛かり溝２７の中に延在し、前記磁性ブロック２６と前記磁石４０とが反発し合い、前記磁性ブロック２６と前記第二ガイドスライド溝２４の端壁との間には第一復帰装置２５が設置され、前記第一復帰装置２５は前記磁性ブロック２６が移動した後に前記磁性ブロック２６を復帰させられる。
【００１９】
有益的には、前記押出装置９８は前記ボデイー１０の左側端壁の中に設置されたベルト空間３０を含み、前記ベルト空間３０の中にはねじスリーブ３２が回転可能に設置され、前記ねじスリーブ３２の中には左右貫通の第二ねじ穴３３が設置され、前記第二ねじ穴３３の中には前記滑走輪４６と固定的に連結された第二スクリュー３４がねじ山で連結され、前記第二スクリュー３４の円周壁の中には下方に開口する位置制限溝３５が形成され、前記位置制限溝３５の中には位置制限ブロック３６がスライド可能に設置され、前記位置制限ブロック３６は前記ボデイー１０の左側端壁と固定的に連結され、前記ねじスリーブ３２の外面には第一プーリ３１が固定的に設置されている。
【００２０】
有益的には、前記被覆剥ぎ機構９７は、前記スライド台２９に前後対称になるように設置されかつ左右貫通の通過穴７５を含み、前記通過穴７５の前後側には回転空間７６が対称になるように設置され、前記回転空間７６と前記通過穴７５とは第三ガイドスライド溝７４によって連通され、前記切断刃７３は前記第三ガイドスライド溝７４の中にスライド可能に設置され、前記切断刃７３と前記回転空間７６の端壁との間には第一ばね７２が設置され、前記回転空間７６の中には第二回転軸７９が回転可能に設置され、前記第二回転軸７９の外面には第二歯車８０及び前記第二歯車８０の上方に位置している第一カム７７が固定的に設置され、前記回転空間７６の中には前記第二歯車８０と噛み合った第二ラック７８がスライド可能に設置され、前記ボデイー１０の頂壁には前記突起台１９の左側に位置している妨害ブロック８１が固定的に設置されている。
【００２１】
有益的には、前記はんだ搬送装置９６は前記突起台１９の右側端壁の中に形成された置き溝１３を含み、前記置き溝１３の中にははんだ１４が置かれ、前記置き溝１３と前記凹溝２０との間にはケーブル送り空間５０が設置され、前記ケーブル送り空間５０の中には前後対称になる二つのケーブル送り輪４９が対向回転可能に設置され、前記置き溝１３と前記凹溝２０との間には前記ケーブル送り空間５０を貫通した貫通溝４８が形成され、前記ケーブル送り空間５０の底壁の中にはウォームホイール空間１８が設置され、前記ウォームホイール空間１８と前記ケーブル送り空間５０との間には前後対称になる第三回転軸１７が回転可能に設置され、前記第三回転軸１７が前記ケーブル送り輪４９と固定的に連結され、前記ウォームホイール空間１８にある前記第三回転軸１７の末端にはウォームホイール１６が固定的に設置され、前記ウォームホイール空間１８の右側端壁の中には下方に伸びる伝動空間１１が設置され、前記伝動空間１１と前記ウォームホイール空間１８との間にはウォーム１５が回転可能に設置され、前記ウォーム１５は前後二つの前記ウォームホイール１６とも噛み合い、前記伝動空間１１の中にある前記ウォーム１５の末端には第三歯車１２が固定的に設置され、前記第三歯車１２が回転する時に前記ウォーム１５を回転させ、そして前後二つの前記ウォームホイール１６が駆動されて対向するように回転し、前後二つの前記ケーブル送り輪４９が駆動されて対向するように回転することで、前後二つの前記ケーブル送り輪４９の間にあるはんだは前記凹溝２０の中に搬送される。
【００２２】
有益的には、前記伝動空間１１と前記ベルト空間３０との間にはカム空間６０が設置され、前記伝動空間１１と前記ベルト空間３０との間には前記カム空間６０を貫通した第四回転軸３９が回転可能に設置され、前記ベルト空間３０の中にある前記第四回転軸３９の末端には第二プーリ３８が固定的に設置され、前記第二プーリ３８と前記第一プーリ３１とはベルト３７により伝動可能に連結され、前記伝動空間１１の中にある前記第四回転軸３９の末端には第四歯車６２が固定的に設置され、前記カム空間６０の中にある前記第四回転軸３９の外面には第二カム６１が固定的に設置され、前記伝動空間１１の左側端壁の中にはスライド空間６８が設置され、前記スライド空間６８の中にはスライダ６６がスライド可能に設置され、前記スライダ６６の右側端壁の中には第二モータ６５が固定的に設置され、前記第二モータ６５の出力軸末端には前記第四歯車６２と噛み合った第五歯車６７が固定的に設置され、前記スライダ６６と前記スライド空間６８の底壁との間には第二ばね６３が設置され、前記第一モータ７０の出力軸末端には前記スライダ６６を押出する第三カム６９が固定的に設置され、前記スライド空間６８の左側端壁の中には第一スライド穴５６が設置され、前記第一スライド穴５６の中には第一スライドロッド５４がスライド可能に設置され、前記第一スライドロッド５４は右側末端が前記スライダ６６の左側端壁の中に形成されたロック溝７１の中に延在し、前記第一スライドロッド５４と前記第一スライド穴５６の左側端壁との間には第三ばね５５が設置され、前記第一スライドロッド５４の中には上下貫通の傾斜穴５３が設置され、前記カム空間６０の頂壁の中には前記第一スライド穴５６を貫通した第二スライド穴５８が設置され、前記第二スライド穴５８の中には第二スライドロッド５９がスライド可能に設置され、前記第二スライドロッド５９と前記第二スライド穴５８の端壁との間には第二復帰装置５７が設置され、前記第二復帰装置５７は前記第二スライドロッド５９が移動した後に前記第二スライドロッド５９を復帰させられる。
【００２３】
当該実施形態における固定接続方法は、ボルト固定、溶接などを含むが、これらに限定されない。  
【００２４】
図１〜５に示すように、本願発明は初期状態において、前記スライダ６６が前記スライド空間６８の底部に位置し、前記第一スライドロッド５４が前記ロック溝７１の中に挿入され、前記第五歯車６７と前記第四歯車６２とが噛み合っており、前記第五歯車６７と前記第三歯車１２とが分離しており、前記第二ばね６３が圧縮状態にある。
【００２５】
本願発明の作動手順が以下の通りである。
【００２６】
１、 作業時、手で接続待ちの二本のケーブルの末端を前記穴５１の中に挿すことでケーブルの末端が前記スライド台２９の右側と面一になり、この時に前記第二モータ６５を作動させることで前記第五歯車６７が回転し、さらに前記第四歯車６２を回転させ、そして前記第四回転軸３９が連動して回転し、さらに前記第二プーリ３８を回転させ、そして前記第一プーリ３１が連動して回転し、さらに前記ねじスリーブ３２を回転させ、さらに前記第二スクリュー３４が右方へ移動して前記滑走輪４６を押し、この時に前記磁性ブロック２６が前記引っ掛かり溝２７の中に挿入されたため、前記スライド台２９が前記滑走輪４６とともに右方へ移動し、この時にケーブルの末端が前記通過穴７５の中に挿入され、前記スライド台２９が右方へ移動すると前記第二ラック７８を右方へ移動させて前記妨害ブロック８１と当接させ、そして前記妨害ブロック８１の前記第二歯車７８に対する反作用で前記第二ラック７８を左方へ移動させ、さらに前記第二歯車８０を回転させ、そして前記第一カム７７が連動して半周回転し、前記切断刃７３を押してケーブルの被覆に挿入し、この時に前記第二モータ６５を作動させることで前記第五歯車６７が逆方向へ回転し、前記スライド台２９を左方へ移動させ、この時に作業員がケーブルを持っており、前記スライド台２９が左方へ移動すると前記切断刃７３を左方へ移動させることで被覆をケーブルの表面から剥ぎ取り、前記スライド台２９が左方へ移動すると前記第二ラック７８を左方へ移動させて前記ボデイー１０の壁体と当接させるとき、前記第二ラック７８が右方へ移動し、前記第一カム７７を逆方向へ回転させ、この時に前記切断刃７３が前記第一ばね７２によって復帰し、
２、 前記第一モータ７０を作動させることで前記第一スクリュー４５が連動して半周回転し、前記第一ラック４２を右方へ移動させ、前記磁石４０が前記第一ラック４２に駆動されて右方へ移動し、この時に前記磁性ブロック２６が前記磁石４０による反発力を受けなくなり、前記磁性ブロック２６が前記第一復帰装置２５の作用によって下方へ移動して前記連通穴４１の中に挿入され、この時に前記スライド台２９と前記滑走輪４６とを固定しなくなり、前記スライド台２９と前記ボデイー１０の頂壁とが固定され、前記第一ラック４２が右方へ移動する中で前後二つの前記第一歯車２２を対向回転させ、さらに前後二つの前記回転盤５２を対向回転させ、そして前記穴５１にあるケーブルが連動して回転し、ケーブルにおいて被覆が剥がれた部分が前記凹溝２０の中まで回転し、
３、 前記第一モータ７０が前記第一スクリュー４５を回転させるとき、前記第三カム６９が半周回転し、この時に前記スライダ６６が前記第三カム６９から離脱し、前記スライダ６６が前記第一スライドロッド５４にロックされたため、前記スライダ６６が上方へ移動しなく、この時に再び前記第二モータ６５を作動させることで前記第五歯車６７が回転し、前記第四歯車６２を回転させ、そして前記第四回転軸３９が連動して回転し、第二プーリ３８を回転させ、そして前記第一プーリ３１が連動して回転し、前記ねじスリーブ３２を回転させ、そして前記第二スクリュー３４が連動して右方へ移動して前記滑走輪４６を押し、前記滑走輪４６が右方へ前記凹溝２０の中まで移動することで前記凹溝２０にある二本のケーブルを圧着させ、前記第四回転軸３９が回転すると前記第二カム６１を半周回転させ、上方へ前記第二スライドロッド５９を押すことで前記第二スライドロッド５４が上昇し、前記第一スライドロッド５４を左方へ移動させ、前記第一スライドロッド５４が移動して前記ロック溝７１から出た後、前記スライダ６６が前記第二ばね６３の作用によって上昇し、この時、前記第五歯車６７と前記第三歯車１２とが噛み合い、この時に前記第二モータ６５を作動させることで前記第五歯車６７が回転し、前記第三歯車１２を回転させ、前記ウォーム１５が前記第三歯車１２の回転とともに回転し、そして前後二つの前記ウォームホイール１６が対向回転し、前後二つの前記ケーブル送り輪４９を対向回転させ、前後二つの前記ケーブル送り輪４９にあるはんだを前記凹溝２０の中に搬送し、前記加熱器４７は被覆が剥がれたケーブルの接続部に加熱を行うため、はんだが高温で溶化したあと、ケーブルの接続部をはんだ付けにし、はんだが冷却した後、接続し終えたケーブルを取り出し、ここでケーブルの接続を完了とする。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明はデジタル情報伝達用ケーブルの接続装置を開示した。
【解決手段】
ボデイー及び前記ボデイーの頂壁に固定的に設置された突起台を含み、前記突起台の前後側には回転盤が対称的に設置され、前記回転盤が対向するように回転でき、前記回転盤の中にはケーブルを固定できる穴が左右貫通のように設置され、前記突起台の左側にはスライド台がスライド可能に設置され、本願はデジタル情報伝達用ケーブルの接続装置を提供し、デジタル情報伝達用ケーブルをより便利に接続でき、また、本願発明は自動的にケーブルの被覆を剥ぎ取ることができ、また、剥ぎ取られた部分にはんだ付けを行うことで接続品質をより良くする。
【選択図】図１【図１】
0006810863.tif 000002
【図２】
0006810863.tif 000003
【図３】
0006810863.tif 000004
【図４】
0006810863.tif 000005
【図５】
0006810863.tif 000006